(57)【特許請求の範囲】
【請求項１】
基準の光記録媒体のリードイン領域、ＬＰＰ（Ｌａｎｄ−ｐｒｅ−ｐｉｔ）またはＡＤＩＰ（Ａｄｒｅｓｓ−ｉｎ−ｐｒｅ−ｇｒｏｏｖｅ）からメディアＩＤ及びその他の属性データを読み込む第一ステップと、
識別対象の光記録媒体のリードイン領域、ＬＰＰまたはＡＤＩＰからメディアＩＤ及びその他の属性データを読み込む第二ステップと、
前記基準の光記録媒体のメディアＩＤ及びその他の属性データと、前記識別対象の光記録媒体のメディアＩＤ及びその他の属性データとを比較して、メディアＩＤ及びその他の属性データの一致不一致を識別する第三ステップと、
比較して識別した結果を表示する第四ステップと、
を有することを特徴とする光記録媒体の識別方法。
【請求項２】
前記第一のステップまたは前記第二のステップは、光記録媒体のリードイン領域、ＬＰＰまたはＡＤＩＰから読み込んだメディアＩＤ及びその他の属性データをメモリに格納するステップと、前記メモリからメディアＩＤ及びその他の属性データを呼び出すステップと、を含むことを特徴とする請求項１に記載の光記録媒体の識別方法。
【請求項３】
基準の光記録媒体のリードイン領域、ＬＰＰ（Ｌａｎｄ−ｐｒｅ−ｐｉｔ）またはＡＤＩＰ（Ａｄｒｅｓｓ−ｉｎ−ｐｒｅ−ｇｒｏｏｖｅ）からメディアＩＤ及びその他の属性データを読み込む第一の読み込み手段と、
識別対象の光記録媒体のリードイン領域、ＬＰＰまたはＡＤＩＰからメディアＩＤ及びその他の属性データを読み込む第二の読み込み手段と、
前記第一の読み込み手段から読み込んだメディアＩＤ及びその他の属性データと、前記第二の読み込み手段から読み込んだメディアＩＤ及びその他の属性データとを比較して、メディアＩＤ及びその他の属性データの一致不一致を識別する比較手段と、
前記比較手段が比較して識別した結果を表示する表示手段と、
を有することを特徴とする光記録媒体の識別装置。
【請求項４】
前記第一の読み込み手段と、前記第二の読み込み手段は、共用されていることを特徴とする請求項３に記載の光記録媒体の識別装置。
【発明の詳細な説明】
【技術分野】
【０００１】  本発明は、ＣＤ−Ｒ、ＤＶＤ±Ｒ等の光記録媒体について、模倣品を容易に識別する方法及びこれに用いる識別装置に関するものである。
【背景技術】
【０００２】  ＣＤ−Ｒ、ＤＶＤ±Ｒ等の光記録媒体は、ポリカーボネート等の透明な基板上に、色素層、反射層、保護層（ＤＶＤ±Ｒはさらにポリカーボネート基板）を順次形成して構成されている。データの記録は色素層に対して行われる。この色素層は、メーカー各社で異なる特性を有しており、記録条件が異なるため、データ記録の際には最適な記録条件に合わせる必要があった。【０００３】  そこで現在の記録装置では、光記録媒体に予め記録されたメディアＩＤ（製造者ＩＤ）を読み取り、読み取ったメディアＩＤに対応する記録条件をライブラリから呼び出して、データの記録を行っている。メディアＩＤは、メーカー毎に決まっており、これによってメーカーの設定した最適な記録条件で記録を行うことができる。【０００４】
【特許文献１】特開２００５−２２８４１８号公報
【特許文献２】特開２００２−２８８８２７号公報
【発明の開示】
【発明が解決しようとする課題】
【０００５】  現在市場にはメディアＩＤを模倣した光記録媒体が出回っている。このような模倣品はメーカー正規品とは色素層が異なり最適な記録条件が異なるため、記録装置が認識したメディアＩＤに対応する記録条件で記録を行うと記録後の特性が悪く、最悪の場合記録したデータが読み出せなくなるという問題が生じ得る。しかしながら、現状のメディアＩＤによる識別では、記録装置が模倣品を正規品として認識してしまうため、正規品と模倣品の区別が困難であった。【０００６】  本発明は、このような問題を解決するために、模倣品を容易に識別することができる光記録媒体の識別方法と、これに用いる装置を提案するものである。
【課題を解決するための手段】
【０００７】
本発明は、基準の光記録媒体のリードイン領域、ＬＰＰ（Ｌａｎｄ−ｐｒｅ−ｐｉｔ）またはＡＤＩＰ（Ａｄｒｅｓｓ−ｉｎ−ｐｒｅ−ｇｒｏｏｖｅ）からメディアＩＤ及びその他の属性データを読み込む第一ステップと、識別対象の光記録媒体からメディアＩＤ及びその他の属性データを読み込む第二ステップと、前記基準の光記録媒体のメディアＩＤ及びその他の属性データと、前記識別対象の光記録媒体のメディアＩＤ及びその他の属性データとを比較して、メディアＩＤ及びその他の属性データの一致不一致を識別する第三ステップと、比較して識別した結果を表示する第四ステップと、を有することを特徴とする光記録媒体の識別方法を提案する。
【０００８】
また、前記第一のステップまたは前記第二のステップは、光記録媒体のリードイン領域、ＬＰＰまたはＡＤＩＰから読み込んだメディアＩＤ及びその他の属性データをメモリに格納するステップと、前記メモリからメディアＩＤ及びその他の属性データを呼び出すことを含むことを特徴とする光記録媒体の識別方法を提案する。
【０００９】
さらに、基準の光記録媒体のリードイン領域、ＬＰＰまたはＡＤＩＰからメディアＩＤ及びその他の属性データを読み込む第一の読み込み手段と、識別対象の光記録媒体のリードイン領域、ＬＰＰまたはＡＤＩＰからメディアＩＤ及びその他の属性データを読み込む第二の読み込み手段と、前記第一の読み込み手段から読み込んだメディアＩＤ及びその他の属性データと、前記第二の読み込み手段から読み込んだメディアＩＤ及びその他の属性データとを比較して、メディアＩＤ及びその他の属性データの一致不一致を識別する比較手段と、前記比較手段が比較して識別した結果を表示する表示手段と、を有することを特徴とする光記録媒体の識別装置を提案する。
【００１０】  また、前記第一の読み込み手段と、前記第二の読み込み手段は、共用されていることを特徴とする光記録媒体の識別装置を提案する。
【発明の効果】
【００１１】  本発明によれば、正規品についても、模倣品についても、現物の光記録媒体からメディアＩＤ及びその他の属性データを読み込んで比較するので、模倣品を容易に識別することができる。
【発明を実施するための最良の形態】
【００１２】  図１に本発明の実施形態に係る光記録媒体の識別装置の機能ブロック図を示す。本実施の形態に係る識別装置１は、第一の読み込み手段に相当する第一の記録再生装置２と、第二の読み込み手段に相当する第二の記録再生装置３と、パーソナルコンピュータ部４とを含む。なお、第一の記録再生装置２または第二の記録再生装置３と、パーソナルコンピュータ部４は、図１では一体化しているが、別々になっていても良い。また、第一の記録再生装置２と第二の記録再生装置３は同一の記録再生装置を共用していても良い。また、パーソナルコンピュータ部４は、比較手段を含むデータ記録処理部４４の他、ハードディスクやフラッシュメモリ等のメモリ４３、ディスプレイやプリンタ等の表示部４５、キーボードやマウス等の入力部４６を含む。【００１３】  第一の記録再生装置２には基準の光ディスク２１がセットされ、第二の記録再生装置３には識別対象の光ディスク３１がセットされる。ここで使用される光ディスクとしては、ＣＤ−Ｒ、ＤＶＤ±Ｒ等の光ディスクがある。光ディスクの構造は、ポリカーボネート等の透明基板上に、記録層となる色素層、反射層、保護層を順次形成して構成されている。この透明基板には、グルーブと呼ばれる溝状部分と、グルーブとグルーブの間にあるランドと呼ばれる凸状部分を有し、データの記録はグルーブ部分になされる。さらにＤＶＤ−Ｒではランド部分にＬＰＰ（Ｌａｎｄ−ｐｒｅ−ｐｉｔ）と呼ばれる凹部が形成されており、ＤＶＤ＋Ｒではグルーブ部分にＡＤＩＰ（Ａｄｒｅｓｓ−ｉｎ−ｐｒｅ−ｇｒｏｏｖｅ）と呼ばれる蛇行部分が形成されている。【００１４】  光ディスクのフォーマットは、通常のデータ記録領域以外に、リードイン領域及びリードアウト領域と呼ばれる記録領域を有する。このうち、リードイン領域にメディアＩＤ及びその他の属性データに関する情報が記録されている。ここで、その他の属性データとは、レーザ出力やパルス条件等の記録条件、ディスク形式等のディスク情報を含むものである。ＤＶＤ±Ｒでは、さらにＬＰＰまたはＡＤＩＰにもメディアＩＤ及びその他の属性データに関する情報が記録されている。【００１５】  次に、本発明の識別装置１の動作について説明する。第一の記録再生装置２に基準の光ディスク２１がセットされ、リードイン領域、ＬＰＰまたはＡＤＩＰ等に予め記録されている信号を読み出す。続いて、第一の記録再生装置２から読み出された信号は、メディアＩＤ検出部４１及びその他の属性データ検出部４２に送られてそれぞれメディアＩＤ及びその他の属性データに変換され、データ記録処理部４４に送られる。データ記録処理部４４に送られたデータは、メモリ４３に一旦格納されるか、表示部４５に表示される。【００１６】  続いて、第二の記録再生装置３に識別対象の光ディスク３１がセットされ、ＬＰＰまたはＡＤＩＰ等によって予め光ディスクに記録されている信号を読み出す。続いて、第二の記録再生装置３から読み出された信号は、メディアＩＤ検出部４１及びその他の属性データ検出部４２に送られてそれぞれメディアＩＤ及びその他の属性データに変換され、データ記録処理部４４に送られる。データ記録処理部４４に送られたデータは、メモリ４３に一旦格納さ���るか、表示部４５に表示される。【００１７】  また、入力部４６で手入力により、ブランド名、製品名、製造元、ロットナンバー等の製品情報を適宜入力することができる。【００１８】  ここで、データ記録処理部４４におけるデータ処理の手順を、図２及び図３に基づいて説明する。図２はデータ記録処理部４４で実行される手順のフローチャートの一例である。まず、第一の読み込み手段から基準の光ディスクのメディアＩＤ及びその他の属性データを読み込む（Ｓ１）。その他の属性データは、一部を読み込んでも良いが、精度よく比較するために全データを読み込むのが好ましい。ここで、読み込んだデータの内容を表示部４５に表示しても良い。また、入力部４６から手入力で製品情報を入力してから光ディスクからデータを読み込むようにしても良い。【００１９】  次に、第二の読み込み手段から識別対象の光ディスクのメディアＩＤ及びその他の属性データを読み込む（Ｓ２）。ここで、読み込んだデータの内容を表示部４５に表示しても良い。また、入力部４６から手入力で製品情報を入力してから光ディスクからデータを読み込むようにしても良い。【００２０】  次に、基準品のデータと識別対象品のデータを比較する（Ｓ３）。まずメディアＩＤの一致不一致を識別する。続いてその他の属性データを比較する。その他の属性データを項目ごとに対比させ、一致不一致を識別する。【００２１】  次に、比較した結果を表示部４５に表示する（Ｓ４）。正規品を基準品、模倣品を識別対象品として識別を行った場合、一例として表１に示すような結果が得られる。【００２２】
【表１】
0004574587.tif 000002
【００２３】  識別対象ディスクＡのような模倣品については、その他の属性データが異なるため、記録装置のライブラリに登録されている記録条件と対照する等の方法で識別可能である。一方、識別対象ディスクＢのようなその他の属性データまで模倣した模倣品では、従来の方法では識別できなかった。しかしながら、本発明では、現物のディスクで比較するため、識別対象ディスクＢのような模倣品でも識別が可能になる。【００２４】  続いて、データ記録処理部４４で実行される手順のフローチャートの別の例を図３に示す。図２のフローチャートと異なる点は、基準品のデータ読み込み（Ｓ１）後に、読み込んだデータを一旦メモリに格納し（Ｓ１１）、必要時にメモリからデータを読み込む（Ｓ１２）ことと、識別対象品のデータ読み込み（Ｓ２）後に、読み込んだデータを一旦メモリに格納し（Ｓ２１）、必要時にメモリからデータを読み込む（Ｓ２２）ことである。なお、図３のフローチャートでは、基準品、識別対象品ともメモリからデータを読み込むようになっているが、いずれか一方は現物の光ディスクから直接データを読み込むようにしても良い。【００２５】  また、第一の読み込み手段と第二の読み込み手段は別々でも良いが、一つの読み込み手段を共用しても良い。この場合、基準品のデータを読み込んだ後、ディスクを識別対象品に入れ替えてデータを読み込んでも良いし、一方のデータは予めメモリに格納しておいたデータを読み込んで、他方のデータは読み込み手段から読み込むようにしても良い。【００２６】  なお、通常、正規品を基準品、模倣品を識別対象品として識別を行うが、模倣品を基準品、正規品を識別対象品として識別を行っても良い。
【図面の簡単な説明】
【００２７】
【図１】本発明の実施形態に係る機能ブロック図である。
【図２】本発明の識別方法の一例を示すフローチャートである。
【図３】本発明の識別方法の別の例を示すフローチャートである。
【符号の説明】
【００２８】１  識別装置
２  第一の記録再生装置
３  第二の記録再生装置
４  パーソナルコンピュータ部
【図１】
0004574587.tif 000003
【図２】
0004574587.tif 000004
【図３】
0004574587.tif 000005